(57)【特許請求の範囲】
【請求項１】
シャフトの周りをウイングが回転する釣用バズベイトルアーであって、
前記ウイングの後部にスペーサを取り付け、
前記スペーサの後部下側に、前記シャフトを取り付け部とし、後ろから見て前記ウイングの回転方向と逆の横方向に水流制御板を張設し、
前記ウイングが回転するときに前記ウイングの後端部が前記水流制御板の先端近辺に接触して接触音を発するように固定することを特徴とする釣用バズベイトルアー。
【請求項２】
前記シャフトは前記ウイングの後部に延長し下方に折り曲げて折り曲げ部を形成し、
前記ウイングの後部で前記折り曲げ部までの間にスペーサを取り付け、
前記折り曲げ部に、水流制御板を設けた請求項１に記載の釣用バズベイトルアー。
【請求項３】
前記水流制御板は、上から見て前記シャフトと３０〜９０°の角度に固定するか又は前記水流制御板の先端を前記ウイング側に向けて曲げて固定する請求項１又は２に記載の釣用バズベイトルアー。
【請求項４】
前記スペーサは円筒体であり、前記シャフトの周りを回転可能かつ前後動可能に取り付ける請求項１〜３のいずれか１項に記載の釣用バズベイトルアー。
【請求項５】
前記水流制御板は、前記ウイングの最大回転面積の５〜３０％の面積である請求項１〜４のいずれか１項に記載の釣用バズベイトルアー。
【請求項６】
前記ウイング及び前記水流制御板はともに金属製であり、接触音は金属同士の接触音である請求項１〜５のいずれかに記載の釣用バズベイトルアー。
【発明の詳細な説明】
【技術分野】
【０００１】
本発明は、改良された釣用バズベイトルアーに関する。
【背景技術】
【０００２】
近年、木製や樹脂製の釣用ルアー（疑似餌）を用いたルアーフィッシングが盛んに行われている。ルアーフィッシングでは、対象魚の種類等に応じて種々のルアーが使用されている。ルアーの中に水面で使用するバズベイトルアーと呼ばれるものがある。一例として、図５に示すように、シャフト１１の上部にウイング１２ａ，１２ｂが取り付けられ、後端はストッパー１３で止められ、シャフト１１の下部にはヘッド１５、ラバースカート１６、フック１７が取り付けられている（非特許文献１）。このバズベイトルアー２０はラインを引くことにより、ウイング１２ａ，１２ｂが回転し、回転音によって魚にアピールする。着水と同時に沈むのですぐにロッドを上げてラインを引き、あとはウイング１２ａ，１２ｂが音を立て、水しぶきを上げるようにラインを引く。
【０００３】
特許文献１には、図６に示すようにウイング２２ａ，２２ｂの後方軸受片２４に楕円形状の貫通孔２５をあけ、ウイング２２ａ，２２ｂが水流抵抗を受けている状態ではウイングが偏心しないで回転する提案がされている。シャフト２１の後端部はストッパー２３が固定されている。
【先行技術文献】
【特許文献】
【０００４】
【特許文献１】特開２００３−６１５１９号公報
【非特許文献】
【０００５】
【非特許文献１】橋口彰一郎ら編著、「新・ルアーフィッシング入門」、２００４年７月２８日、学習研究社、４１頁
【発明の概要】
【発明が解決しようとする課題】
【０００６】
しかし、前記従来のバズベイトルアーは、ラインの引きによりウイングが回転するが、ウイングの回転力により回転方向に全体が傾くとか、倒れるとか、あるいはヘッドが浮き上がってしまう問題があった。このような問題が起こると、ウイングが水中に沈んでしまい、ウイングの回転音も水しぶきも上げなくなってしまい、魚も興味を示さない状態になる。
【０００７】
本発明は、前記従来の問題を解決するため、バズベイトルアーの泳動バランスを向上しウイングの回転音に加えて接触音も発し、漁獲作用の高いバズベイトルアーを提供する。
【課題を解決するための手段】
【０００８】
本発明の釣用バズベイトルアーは、シャフトの周りをウイングが回転する釣用バズベイトルアーであって、前記ウイングの後部にスペーサを取り付け、前記スペーサの後部下側に、前記シャフトを取り付け部とし、後ろから見て前記ウイングの回転方向と逆の横方向に水流制御板を張設し、前記ウイングが回転するときに前記ウイングの後端部が前記水流制御板の先端近辺に接触して接触音を発するように固定することを特徴とする。
【発明の効果】
【０００９】
本発明の釣用バズベイトルアーは、ウイングの後部にスペーサを取り付け、スペーサの後部下側に、シャフトを取り付け部とし、後ろから見てウイングの回転方向と逆の横方向に水流制御板を張設し、ウイングが回転するときにウイングの後端部が水流制御板の先端近辺に接触して接触音を発するように固定したことにより、バズベイトルアーの泳動バランスを向上しウイングの回転音に加えて接触音も発するバズベイトルアーを提供できる。すなわち、水流制御板は船の舵に相当し、ウイングの回転方向に向く流体による力（ベクトル）を抑制し、泳動バランスを向上する。この結果、ウイングは水面に位置し、ヘッド、ラバースカート及びフックはウイングの下の水中に位置するようになるので、ウイングは常に音を立て、水しぶきを上げるようになる。加えて、ウイングが回転するときにウイングの後端部が水流制御板の先端近辺に接触して接触音を発し、ウイングの回転音と相俟って効果的な集魚音を発する。このように、水流制御板は船の舵の原理によりウイングの回転方向に向く流体による力（ベクトル）を抑制し、泳動バランスを向上し、加えてウイングの後端部と接触して音を発するという相乗効果により漁獲効果を向上できる。
【図面の簡単な説明】
【００１０】
【図１】図１は本発明における一実施例のバズベイトルアーの側面図である。
【図２】図２は同バズベイトルアーを説明する背面図である。
【図３】図３Ａは同バズベイトルアーのシャフトと水流板との角度を説明する平面図、図３Ｂは同水流制御板の先端を前記ウイング側に向けて曲げて固定する例の平面図である。
【図４】図４Ａ−Ｃは同バズベイトルアーの水面における使用状態を示す説明図である。
【図５】図５は従来のバズベイトルアーの側面図である。
【図６】図６は従来の別の例のバズベイトルアーの背面図である。
【発明を実施するための形態】
【００１１】
本発明のバズベイトルアーはシャフトの周りをウイングが回転する。ウイングは２枚羽根のダブルウイングでもよいし、３枚羽根のトリプルウイングでもよい。ウイングの後部にはスペーサを取り付けて、ウイングと水流制御板の間の適正な距離を保ち、ウイングの回転を妨げないようにするとともに、ウイングが回転するときにウイングの後端部が水流制御板の先端近辺に接触して接触音を発するように位置決めする。
【００１２】
スペーサの後部下側には、後ろから見てウイングの回転方向と逆の横方向に水流制御板を張設する。「ウイングの回転方向と逆の横方向」とは、ウイングが左回りであれば右横方向（進行方向に対して右水平方向）、ウイングが右回りであれば左横方向（進行方向に対して左水平方向）である。水流制御板はシャフトの後端付近に取り付ける。溶接によって取り付けてもよいし、後に説明するようにシャフトを延長して折り曲げ、この折り曲げ部に固定してもよい。これにより、水流制御板は船の舵の原理によりウイングの回転方向に向く流体による力（ベクトル）を抑制し、泳動バランスを向上する。
【００１３】
水流制御板は、ウイングが回転するときにウイングの後端部が水流制御板の先端近辺に接触して接触音を発するように固定されている。これにより、ウイングの回転音と相俟って効果的な集魚音を発する。
【００１４】
シャフトはウイングの後部に延長し下方に折り曲げて折り曲げ部を形成し、ウイングの後部で折り曲げ部までの間にスペーサを取り付け、折り曲げ部に水流制御板を設けてもよい。このようにすると、強度が高く、加工しやすい構造となる。
【００１５】
水流制御板は、上から見て前記シャフトと３０〜９０°の角度に固定するか又は前記水流制御板の先端を前記ウイング側に向けて曲げて固定するのが好ましい。これにより、船の舵の原理による泳動バランスとウイングとの接触音発生をより効果的に達成できる。
【００１６】
スペーサは円筒体であり、シャフトの周りを回転可能かつ前後動可能に取り付けるのが好ましい。回転可能に取り付けるのはウイングの回転を妨げないようにするためであり、前後動可能に取り付けるのは水面抵抗を受けないときはウイングは水流制御板と接触せずフリー回転させるためである。
【００１７】
水流制御板は、ウイングの最大回転面積の５〜３０％の面積であるのが好ましい。この範囲であれば、泳動バランスとウイングとの接触音発生をより効果的に達成できる。
【００１８】
ウイング及び水流制御板の材質は、金属、プラスチックなどを使用できる。金属としては、アルミニウム、ジュラルミン、銅などの比重の軽いものが好ましい。プラスチックとしては、アクリル樹脂、ポリアセタール樹脂、ナイロン樹脂、ポリエステル樹脂などの硬質樹脂が好ましい。この中でもとくにアルミニウム等の金属製が好ましい。金属同士であれば接触音も金属音となり集魚効果が期待できる。
【００１９】
以下図面によって説明する。図１は本発明における一実施例のバズベイトルアーの側面図である。このバズベイトルアー１０は、シャフト１の上部にシャフト１ａを通してウイング２ａ，２ｂ（一体物）を回転可能に取り付けている。シャフト１はウイングの後部に延長し、折り曲げ点１ｂで下方に折り曲げて折り曲げ部１ｃとし、ウイングの後部で折り曲げ点１ｂの間に円筒状スペーサ３を回転可能、かつ前後動可能に取り付けてある。折り曲げ部１ｃに水流制御板４を後ろから見てウイングの回転方向と逆の横方向になるように固定している。水流制御板４は、ウイング２ａ，２ｂが回転するときにウイングの後端部が水流制御板４の先端近辺に接触して接触音を発するように固定されている。シャフト１の下部にはヘッド５、ラバースカート６、フック７が取り付けられている
【００２０】
図２は本発明における一実施例のバズベイトルアーを説明する背面図である。シャフトにウイング２ａ，２ｂが回転可能に取り付けられ、ラインの引きにより水流抵抗を受けると左回りの矢印Ｒの方向に回転する。水流制御板４はシャフトの折り曲げ部１ｃに固定されている。固定方向は、ウイング２ａ，２ｂの回転方向Ｒ（左回転）と逆の横方向になるように右水平方向に固定されている。水流制御板４は、ウイング２ａ，２ｂが回転するときにウイングの後端部２ｃ，２ｄが水流制御板４の先端近辺４ａに接触して接触音を発するように固定されている。
【００２１】
図２を用いて各部品の寸法関係を説明する。ウイング２ａ，２ｂの最大回転直径Ｌ１から求められる最大回転面積に対して、水流制御板４の面積は５〜３０％の面積であるのが好ましい。水流制御板４の面積は図２の例においては台形であるから、［（Ｌ２＋Ｌ３）／２］×Ｌ４で求められる。
【００２２】
図３Ａは同バズベイトルアーのシャフトと水流板との角度を説明する平面図である。水流制御板４は、上から見てシャフト１ａと鋭角に固定する例である。水流制御板４の先端とウイング２ａ，２ｂの後端とが接触している状態を示している。この例によれば、水流制御板４の泳動バランスとウイング２ａ，２ｂとの接触音をより効果的に達成できる。図３Ｂは同水流制御板の先端をウイング側に向けて曲げて固定する例の平面図である。この例によっても船の舵の原理による泳動バランスとウイングとの接触音をより効果的に達成できる。
【００２３】
図４Ａ-Ｃは本発明における一実施例のバズベイトルアー１０の水面における使用状態を示す説明図である。ラインを引くことにより、ウイングが水面に配置され、ヘッド、ラバースカート及びフックがウインクの後ろの下部に配置され、バランスを崩すことなくウイングが音を立て、水しぶきを上げて遊動する。このとき、ウイングの後端部が水流制御板の先端近辺に接触して接触音を発する。
【００２４】
以上のような構成によれば、ウイングが回転するときにウイングの後端部が水流制御板の先端近辺に接触して接触音を発し、ウイングの回転音と相俟って効果的な集魚音を発する。このように、水流制御板は船の舵の原理によりウイングの回転方向に向く流体による力（ベクトル）を抑制し、泳動バランスを向上し、加えてウイングの後端部と接触して音を発するという相乗効果により漁獲効果を向上できる。
【実施例】
【００２５】
以下、実施例を用いて本発明をさらに具体例に説明する。なお、本発明は下記の実施例に限定されるものではない。
【００２６】
（実施例１）
図１〜図３Ａに示すバズベイトルアーを作製した。シャフトは直径１ｍｍの軟鉄線、ウイングは厚み０．６ｍｍのアルミニウム板、スペーサは鉄製円筒体とした。水流制御板は厚み０．３ｍｍのステンレス板を使用した。寸法は、図２に示すＬ１が４０ｍｍであり、ウイングの最大回転面積Ｓ１(π×２０2)は１２５６ｍｍ2であった。水流制御板のＬ２は１４ｍｍ、Ｌ３は９ｍｍ、Ｌ４は１０ｍｍであり、面積Ｓ２は１１５ｍｍ2であった。ウイングの最大回転面積Ｓ１に対する水流制御板Ｓ２の面積割合（Ｓ２／Ｓ１）は９．２％であった。ウイングの下方後側のシャフトにはヘッド、ラバースカート及びフックを取り付けた。全体の重量は１５ｇであった。
【００２７】
このバズベイトルアーにラインを取り付け、リールで通常の使用速度の約０．６〜１．２ｍ／秒で引いたとき、図４Ａ−Ｃに示すように泳動バランスが向上し、ウイングの回転音と水切り音及び水流制御板の先端部とウイングの後端部との接触音が発生し、漁獲効果が向上した。
【００２８】
（比較例１）
実施例１において水流制御板を設けなかった従来品のルアー（図５）を、実施例１と同一の条件によりリールで引いた。この結果、ウイングの回転力により回転方向に全体が傾いたり倒れてしまい、あるいはヘッドが浮き上がってしまう問題があった。
【００２９】
（実施例２）
実施例１において、水流制御板を図３Ｂに示す構成として実施例１と同一の条件によりリールで引いた。この結果、実施例1と同様に泳動バランスが向上し、ウイングの回転音と水切り音及び水流制御板の先端部とウイングの後端部との接触音が発生し、漁獲効果が向上した。
【００３０】
以上のとおり、従来のバズベイトルアーは泳動バランスが崩れてしまう問題であったが、本発明のように水流制御板を設けることにより、泳動バランスが向上し、ウイングの回転音と水切り音及び水流制御板の先端部とウイングの後端部との接触音が発生し、漁獲効果が向上することが確認できた。
【符号の説明】
【００３１】
１，１ａ，１ｂ，１１，２１  シャフト
１ｃ  シャフト折り曲げ部
２ａ，２ｂ，１２ａ，１２ｂ，２２ａ，２２ｂ  ウイング
３  スペーサ
４  水流制御板
５，１５  ヘッド
６，１６  ラバースカート
７，１７  フック
１０，２０，３０  バズベイトルアー
１３，２３  ストッパー
２４  後方軸受片
２５  貫通孔
【図１】
0005633741.tif 000002
【図２】
0005633741.tif 000003
【図３】
0005633741.tif 000004
【図４】
0005633741.tif 000005
【図５】
0005633741.tif 000006
【図６】
0005633741.tif 000007